(57)【要約】【課題】  １対１または１対多または多対多の情報流通を柔軟に支援するＮＦＣタグまたはＮＦＣタグライタまたはＮＦＣタグリーダを提供する。【解決手段】  近傍に存在するＮＦＣタグライタまたはＮＦＣタグリーダから非接触で電力を受電して動作し、コンテンツ情報およびＩＤ情報を記憶する不揮発性メモリと、ＩＤ情報またはコンテンツ情報をＮＦＣ通信により送受信するＮＦＣ通信手段と、コンテンツ情報の書き込みまたは読み出しを許可するＩＤ情報を登録する許可ＩＤ登録手段を有し、許可されたＩＤのタグライタまたはタグリーダとの間でコンテンツ情報を授受する。【選択図】    図１
2014038381.tif 000002
【特許請求の範囲】
【請求項１】
所定のＮＦＣタグライタまたはＮＦＣタグリーダから非接触で電力を受電して動作するＮＦＣタグであって、
コンテンツ情報およびＩＤ情報を記憶する不揮発性メモリと、近傍に存在するＮＦＣタグライタまたはＮＦＣタグリーダとの間でＩＤ情報またはコンテンツ情報をＮＦＣ通信により送受信するＮＦＣ通信手段と、前記不揮発性メモリへのコンテンツ情報の書き込みまたは前記不揮発性メモリからのコンテンツ情報の読み出しを許可するＩＤ情報を登録する許可ＩＤ登録手段と、を有し、
前記ＮＦＣタグライタから当該ＮＦＣタグライタを識別するライタＩＤを受信した場合に、前記受信したライタＩＤがコンテンツ情報の書き込みを許可されているＩＤであるか否かを判定し、許可されていると判定したならば、前記ＮＦＣタグライタによるコンテンツ情報の書き込みを許可すると共に、当該コンテンツ情報と関連付けて前記ライタＩＤまたは前記ＮＦＣタグライタが指定するＮＦＣタグリーダを識別するリーダＩＤを記憶し、
前記ＮＦＣタグリーダから当該ＮＦＣタグリーダを識別するリーダＩＤを受信した場合に、前記受信したリーダＩＤがコンテンツ情報の読み出しを許可されているＩＤであるか否かおよびまたは前記リーダＩＤに関連付けられたコンテンツ情報を前記不揮発性メモリに記憶しているか否かを判定し、前記判定結果に応じて前記不揮発性メモリに記憶している所定のコンテンツ情報を当該ＮＦＣタグリーダが読み出すことを許可することを特徴とする情報流通用ＮＦＣタグ。
【請求項２】
請求項１に記載のＮＦＣタグであって、前記不揮発性メモリに記憶している所定のコンテンツ情報を削除する削除手段と、前記不揮発性メモリに記憶しているコンテンツ情報の削除条件を登録する削除条件登録手段と、をさらに有し、
前記削除条件登録手段が登録する削除条件は前記コンテンツ情報を書き込んだＮＦＣタグライタが指定する日時またはリーダＩＤに係る条件であって、近傍に存在するＮＦＣタグライタまたはＮＦＣタグリーダから電力を受電した際に、前記コンテンツ情報を書き込んだＮＦＣタグライタが指定した日時の経過を検知した場合に、またはＮＦＣタグライタが指定したリーダＩＤに対応するＮＦＣタグリーダの全てが当該コンテンツ情報の読み込みを完了していた場合に、前記削除手段は当該コンテンツ情報を自動的に削除することを特徴とする情報流通用ＮＦＣタグ。
【請求項３】
請求項１または２に記載のＮＦＣタグへ非接触で電力を供給すると共に所定のコンテンツ情報を前記ＮＦＣタグへ書き込むＮＦＣタグライタ。
【請求項４】
請求項１または２に記載のＮＦＣタグへ非接触で電力を供給すると共に所定のコンテンツ情報を前記ＮＦＣタグから読み出すＮＦＣタグリーダ。
【請求項５】
請求項３または４に記載のＮＦＣタグライタまたはＮＦＣタグリーダにおいて、
前記ＮＦＣ通信とは異なる無線通信手段をさらに有し、前記ＮＦＣタグのいずれかへ所定のコンテンツ情報を書き込んだ場合または所定のコンテンツ情報を読み出した場合に、前記コンテンツ情報を書き込んだまたは読み出した旨の情報を所定の宛先へ通知することを特徴とするＮＦＣタグライタまたはＮＦＣタグリーダ。
【発明の詳細な説明】
【技術分野】
【０００１】
本発明は、コンテンツ情報を蓄積可能なＮＦＣタグを介してコンテンツ情報を交換する情報流通用ＮＦＣタグまたはＮＦＣタグライタまたはＮＦＣタグリーダに関する。
【背景技術】
【０００２】
ＮＦＣ（Ｎｅａｒ  Ｆｉｅｌｄ  Ｃｏｍｍｕｎｉｃａｔｉｏｎ）は、非接触ＩＣカードの上位の共通通信方式として標準化された（ＩＳＯ／ＩＥＣ１８０９２）近距離通信方式であり、ＮＦＣタグはパッシブ型無線タグと同様に、ＮＦＣタグのリーダ／ライタから非接触で供給される電力で動作し、情報蓄積容量は無線タグに比べてかなり大容量であり、複数のコンテンツ情報を蓄積できる。そのため、近年、ＮＦＣタグのリーダ／ライタ機能を備えたスマートホン等の携帯機器もある。
【０００３】
そして、このＮＦＣの応用として、ＮＦＣ通信により、マルチメディア・コンテンツを配信するシステム及び方法に関する技術がある（例えば、特許文献１）。
【０００４】
特許文献１に記載された技術は、例えば、「アルバムアート」などのようなメディア販売ディスプレイの各画像は、オーディオファイル又はビデオファイルなどのマルチメディア・コンテンツに対応し、ＮＦＣタグを含む。ＮＦＣタグは、オーディオファイル又はビデオファイルに関連するデータを格納しており、ユーザがＮＦＣ可能な無線通信デバイスで画像にタッチすると、対応するＮＦＣタグは、その関連データをＮＦＣ通信が可能な通信デバイスに転送する。そして、ユーザは受信したデータに基づき、無線通信ネットワークを介してマルチメディア・サーバから、マルチメディア・コンテンツに関連付けられた情報をダウンロードする。
【０００５】
しかしながら、この技術は、有料のマルチメディア・コンテンツを販売する小売店の展示スペースを低減すること等が目的であり、社内または仲間内の情報の流通を目的としておらず、マルチメディア・コンテンツを取得するまでのプロセスが煩雑である。
【先行技術文献】
【特許文献】
【０００６】
【特許文献１】特表２０１０−５１２０６０号公報
【発明の概要】
【発明が解決しようとする課題】
【０００７】
そこで、本発明の課題は、１対１または１対多または多対多の情報流通を柔軟に支援するＮＦＣタグまたはＮＦＣタグライタまたはＮＦＣタグリーダを提供することにある。
【課題を解決するための手段】
【０００８】
上記課題を解決するために、本発明による情報流通用ＮＦＣタグは、所定のＮＦＣタグライタまたはＮＦＣタグリーダから非接触で電力を受電して動作するＮＦＣタグであって、コンテンツ情報およびＩＤ情報を記憶する不揮発性メモリと、近傍に存在するＮＦＣタグライタまたはＮＦＣタグリーダとの間でＩＤ情報またはコンテンツ情報をＮＦＣ通信により送受信するＮＦＣ通信手段と、前記不揮発性メモリへのコンテンツ情報の書き込みまたは前記不揮発性メモリからのコンテンツ情報の読み出しを許可するＩＤ情報を登録する許可ＩＤ登録手段と、を有し、前記ＮＦＣタグライタから当該ＮＦＣタグライタを識別するライタＩＤを受信した場合に、前記受信したライタＩＤがコンテンツ情報の書き込みを許可されているＩＤであるか否かを判定し、許可されていると判定したならば、前記ＮＦＣタグライタによるコンテンツ情報の書き込みを許可すると共に、当該コンテンツ情報と関連付けて前記ライタＩＤまたは前記ＮＦＣタグライタが指定するＮＦＣタグリーダを識別するリーダＩＤを記憶し、前記ＮＦＣタグリーダから当該ＮＦＣタグリーダを識別するリーダＩＤを受信した場合に、前記受信したリーダＩＤがコンテンツ情報の読み出しを許可されているＩＤであるか否かおよびまたは前記リーダＩＤに関連付けられたコンテンツ情報を前記不揮発性メモリに記憶しているか否かを判定し、前記判定結果に応じて前記不揮発性メモリに記憶している所定のコンテンツ情報を当該ＮＦＣタグリーダが読み出すことを許可することを特徴とする。
【０００９】
また、本発明によるＮＦＣタグライタまたはＮＦＣタグリーダは、上記ＮＦＣタグへ非接触で電力を供給すると共に、所定のコンテンツ情報を前記ＮＦＣタグへ書き込む、または前記ＮＦＣタグから読み出すことを特徴とする。
【発明の効果】
【００１０】
本発明によれば、１対１または１対多または多対多の情報流通システムを、柔軟かつ効率的に構築できるＮＦＣタグまたはＮＦＣタグライタまたはＮＦＣタグリーダを提供できる。
【図面の簡単な説明】
【００１１】
【図１】本発明によるＮＦＣタグおよび携帯端末の内部ブロック構成図
【図２】本発明によるＮＦＣタグの動作フローチャート図
【図３】本発明による携帯端末の動作フローチャート図
【発明を実施するための形態】
【００１２】
以下、図面を併用して本発明の実施形態について説明する。図１は、本発明によるＮＦＣタグ１０および携帯端末２０の内部ブロック構成図である。ＮＦＣタグ１０は、ＮＦＣ通信部１１、ＩＤ受信部１２、コンテンツ情報送信部１３、コンテンツ情報受信部１４、ＩＤ／コンテンツ情報蓄積部１５、タグ制御部１６、タグＩＤ記憶部１７、受電部１８から構成される。
【００１３】
ＮＦＣ通信部１１は、近傍（例えば数ｍ）に存在している携帯端末２０とのＮＦＣ通信を実行する手段である。
【００１４】
ＩＤ受信部１２は、ＮＦＣ通信部１１を介して携帯端末２０からＮＦＣタグライタ３０を識別するライタＩＤ、またはＮＦＣタグリーダ４０を識別するリーダＩＤを受信し、受信したＩＤをＩＤ／コンテンツ情報蓄積部１５に蓄積する手段である。
【００１５】
コンテンツ情報送信部１３は、ＩＤ／コンテンツ情報蓄積部１５に蓄積されている所定のコンテンツ情報を、ＮＦＣ通信部１１を介してＮＦＣタグリーダ４０へ送信する手段である。
【００１６】
コンテンツ情報受信部１４は、ＮＦＣ通信部１１を介してＮＦＣタグライタ３０から、文字，音声，静止画像，動画像等のコンテンツ情報を受信し、受信したコンテンツ情報をＩＤ／コンテンツ情報蓄積部１５に蓄積する手段である。
【００１７】
ＩＤ／コンテンツ情報蓄積部１５は、ライタＩＤまたはリーダＩＤと関連付けてコンテンツ情報を蓄積（記憶）する手段である。なお、このＩＤ／コンテンツ情報蓄積部１５は、受電部１８が電力受電していない状態であっても、蓄積しているＩＤ／コンテンツ情報を保持している必要があり、記憶媒体としては、フラッシュメモリ等の不揮発性メモリを適用している。
【００１８】
タグ制御部１６は、ＮＦＣタグ１０内の各部を制御する手段である。タグＩＤ記憶部受電部１７はＮＦＣタグ１０を識別するタグＩＤ（Ｉｄｅｎｔｉｆｉｃａｔｉｏｎ）を予め記憶しておく手段である。
【００１９】
受電部１８は、ＮＦＣタグライタ３０，ＮＦＣタグリーダ４０を内蔵する携帯端末２０から電力を非接触で受電する手段である。
【００２０】
携帯端末２０は、例えばスマートホン等のデータ通信機能を有する携帯電話端末や、ＰＤＡ（Ｐｅｒｓｏｎａｌ  Ｄｉｇｉｔａｌ  Ａｓｓｉｓｔａｎｔ）等の携帯情報端末であって、ＮＦＣタグライタ３０およびＮＦＣタグリーダ４０を内蔵している。
【００２１】
ＮＦＣ通信部２１は、近傍に存在しているＮＦＣタグ１０とのＮＦＣ通信を実行する手段である。
【００２２】
端末制御部２２は、キーボードやタッチパネル（図示せず）を具備する入力操作部２５からの入力操作に応じて、携帯端末２０内の全体を制御する手段である。
【００２３】
ＮＷ通信部２３は、ＬＡＮ（Ｌｏｃａｌ  Ａｒｅａ  Ｎｅｔｗｏｒｋ）またはＷＡＮ（Ｗｉｄｅ  Ａｒｅａ  Ｎｅｔｗｏｒｋ）を介して、通信相手５０と通信する手段である。通信相手５０は、携帯電話端末としての通話相手やデータ通信する場合の宛先である。
【００２４】
コンテンツ情報記憶部２４は、ＮＦＣ通信部２１を介してＮＦＣタグ１０から取得したコンテンツ情報や、ＮＷ通信部２３を介して通信相手５０（例えば、情報サイト）から取得したコンテンツ情報を蓄積する手段である。
【００２５】
入力操作部２５は、操作者が操作するキーボード，タッチパネル，マイク等を具備しており、操作内容や入力音声を端末制御部２２へ入力する手段である。
【００２６】
表示部２６は、ＬＣＤやＬＥＤ等の表示デバイスや音声を出力するスピーカを含む情報出力部である。給電部２７は、ＮＦＣタグ１０への電力を非接触で給電する手段である。
【００２７】
携帯端末２０に内蔵されているＮＦＣタグライタ３０は、ライタＩＤ記憶部３１、ライタ制御部３２、コンテンツ情報送信部３３から構成されている。
【００２８】
ライタＩＤ記憶部３１は、ＮＦＣタグライタ３０を識別するＩＤを予め記憶しておく手段である。ライタ制御部３２は、端末制御部２２からの指示に応じて、ＮＦＣタグライタとしての動作を制御する手段である。コンテンツ情報送信部３３は、端末制御部２２を介してコンテンツ情報記憶部２４から所定のコンテンツ情報を入力し、ＮＦＣ通信部１１を介して前記コンテンツ情報をＮＦＣタグ１０に書込む手段である。
【００２９】
ＮＦＣタグリーダ４０は、リーダＩＤ記憶部４１、リーダ制御部４２、コンテンツ情報受信部４３から構成されている。
【００３０】
リーダＩＤ記憶部４１は、ＮＦＣタグリーダ４０を識別するＩＤを予め記憶しておく手段である。リーダ制御部４２は、端末制御部２２からの指示に応じて、ＮＦＣタグリーダとしての動作を制御する手段である。コンテンツ情報受信部４３は、ＮＦＣ通信部２１を介して、ＮＦＣタグ１０に蓄積されている所定のコンテンツ情報を読み出す手段である。
【００３１】
なお、図１において、ＮＦＣタグライタ３０およびＮＦＣタグリーダ４０が携帯端末２０に内蔵されている場合の例で説明しているが、携帯端末２０が内蔵するのは、ＮＦＣタグライタ３０またはＮＦＣタグリーダ４０のいずれか一方であってもよい。また、ＮＦＣタグライタ３０またはＮＦＣタグリーダ４０は、携帯端末２０に内蔵されない、独立の端末であってもよい。
【００３２】
図２は、本発明によるＮＦＣタグ１０の動作フローチャート図である。以下、図１を併用して、ＮＦＣタグ１０の動作フローを説明する。
【００３３】
本フローは、ＮＦＣタグ１０の受電部１８がＮＦＣタグライタ３０またはＮＦＣタグリーダ４０を内蔵する携帯端末２０から電力を受電し、ＮＦＣタグ１０の各部に電力が供給された時にスタートし（Ｓ２００）、ＩＤの受信を待つ（Ｓ２１０）。
【００３４】
ＩＤを受信すると（Ｓ２１０，ＹＥＳ）、通信日時情報をＩＤを送信してきたＮＦＣタグライタ３０またはＮＦＣタグリーダ４０からの付帯情報に含まれている通信日時情報を抽出する（Ｓ２１１）。そして、受信したＩＤが許可されたライタＩＤか否か（Ｓ２２０）、または、受信したＩＤが許可されたリーダＩＤか否か（Ｓ２３０）を判定し、許可されたライタＩＤでなく（Ｓ２２０，ＮＯ）、許可されたリーダＩＤでもなければ（Ｓ２３０，ＮＯ）、Ｓ２７０へ進む。なお、許可されたライタＩＤおよびリーダＩＤは、ＩＤ／コンテンツ情報蓄積部１５に予め登録されている。
【００３５】
受信したＩＤが許可されたリーダＩＤであれば（Ｓ２３０，ＹＥＳ）、受信したＩＤ（リーダＩＤ）に対応しているコンテンツ情報がＩＤ／コンテンツ情報蓄積部１５に蓄積されているか否かを判定し、蓄積されていれば（Ｓ２４０，ＹＥＳ）、その対応しているコンテンツ情報を携帯端末２０へ送信し（Ｓ２４１）、Ｓ２７０へ進む。蓄積されていなければ（Ｓ２４０，ＮＯ）、対応しているコンテンツ情報が無い旨を携帯端末２０へ送信し（Ｓ２４２）、Ｓ２７０へ進む。なお、コンテンツ情報は、後述するＳ２５０〜Ｓ２６１のステップによりＩＤ／コンテンツ情報蓄積部１５に蓄積されている。
【００３６】
受信したＩＤが許可されたライタＩＤであれば（Ｓ２２０，ＹＥＳ）、タグ制御部１６は、ＮＦＣ通信部１１を介して、コンテンツ情報の書込みを許可する書込許可を携帯端末２０側へ通知し（Ｓ２５０）、携帯端末２０から受信したコンテンツ情報をＩＤ／コンテンツ情報蓄積部１５に書込んで蓄積する（Ｓ２５１）。
【００３７】
そして、受信したコンテンツ情報に読出しリーダＩＤを指定する付帯情報の有無を判定し、読み出しを許可するリーダＩＤの指定があれば（Ｓ２６０，ＹＥＳ）、携帯端末２０から受信したリーダＩＤを許可リーダＩＤとしてコンテンツ情報と関連付けてＩＤ／コンテンツ情報蓄積部１５に蓄積し（Ｓ２６１）、Ｓ２７０へ進む。なお、リーダＩＤの指定が無ければ（Ｓ２６０，ＮＯ）、Ｓ２６１をスキップする。
【００３８】
Ｓ２７０において、削除条件に合致しているコンテンツ情報の有無を判定し、有れば（Ｓ２７０，ＹＥＳ）、タグ制御部１６は、該当コンテンツ情報を削除し（Ｓ２７１）、Ｓ２１０に戻る。無ければ（Ｓ２７０，ＮＯ）、Ｓ２７１をスキップして、Ｓ２１０に戻る。
【００３９】
ここで、削除条件は、前記コンテンツ情報を書き込んだＮＦＣタグライタが指定する日時またはリーダＩＤに係る条件であって、近傍に存在するＮＦＣタグライタまたはＮＦＣタグリーダから電力を受電した際に、前記コンテンツ情報を書き込んだＮＦＣタグライタが指定した日時の経過を検知したか否か、またはＮＦＣタグライタが指定したリーダＩＤに対応するＮＦＣタグリーダの全てが当該コンテンツ情報の読み込みを完了しているか否かであり、削除手段に合致したコンテンツ情報は自動的に削除される。なお、ＮＦＣタグ１０は時計機能を具備していないので、現在時刻は、Ｓ２１１で抽出した通信日時を使用して、ＮＦＣタグライタが指定した日時の経過を検知する。また、説明を省略したが、Ｓ２１０でライタＩＤおよびリーダＩＤを受信する際、または、Ｓ２５１でコンテンツ情報を受信する際に、Ｓ２７０で判定する削除条件に係る情報を付帯情報として受信している。
【００４０】
図３は、本発明による携帯端末２０の動作フローチャート図である。以下、図１を併用して、携帯端末２０の動作フローを説明する。
【００４１】
本フローは、携帯端末２０の電源が投入された状態で、ＮＦＣタグリーダ３０、または、ＮＦＣタグライタ４０に係る機能が起動された時にスタートする（Ｓ３００）。
【００４２】
入力操作部２５より、近傍に存在するＮＦＣタグ１０へのコンテンツ情報の書込み操作が為されると（Ｓ３１０，ＹＥＳ）、ライタ制御部３２はライタＩＤ記憶部３１に記憶しているライタＩＤを、ＮＦＣ通信部２１を介してＮＦＣタグ１０へ送信し（Ｓ３１１）、Ｓ３２０へ進む。コンテンツ情報の書込み操作が無ければ（Ｓ３１０，ＮＯ）、Ｓ３６０へ進む。
【００４３】
Ｓ３２０において、ライタＩＤを送信したＮＦＣタグ１０から、ＮＦＣ通信部２１を介して、ＮＦＣタグ１０へのコンテンツ情報の書き込みを許可する書込許可を受信すると（Ｓ３２０，ＹＥＳ）、コンテンツ情報記憶部２４に記憶している指定されたコンテンツ情報をＮＦＣタグ１０へ送信して書き込み（Ｓ３３０）、Ｓ３４０へ進む。なお、コンテンツ情報の指定は、入力操作部２５によりその都度指定してもよいし、予め所定のコンテンツ情報に付加情報として指定のフラグをセットしておいてもよい。書込許可を受信しなければ（Ｓ３２０，ＮＯ）、Ｓ３１０に戻る。
【００４４】
Ｓ３４０において、リーダＩＤの指定が有れば（Ｓ３４０，ＹＥＳ）、読取りを許可するリーダＩＤのリストをＮＦＣタグ１０に書き込み（Ｓ３４１）、Ｓ３５０へ進む。リーダＩＤの指定が無ければＳ３４１をスキップしてＳ３５０へ進む。ここで、読取りを許可するリーダＩＤとは、Ｓ３３０でＮＦＣタグ１０へ書込んだコンテンツ情報の読み出しを許可するＮＦＣタグリーダ４０を指定するリーダＩＤであって、特定のＮＦＣタグリーダ４０を指定してもよいし、複数のグループをリストで指定してもよい。
【００４５】
Ｓ３５０において、ＮＦＣタグ１０との情報の授受に係る通知設定が為されていた場合（Ｓ３５０，ＹＥＳ）、当該コンテンツ情報を当該無線タグ１０に書込んだ旨を通信相手５０（通知先）へ通知し（Ｓ３５１）、Ｓ３１０に戻る。通知設定が為されていなければ（Ｓ３５０，ＮＯ）、Ｓ３５１をスキップしてＳ３１０に戻る。
【００４６】
ここで、通知先の通信相手５０として、例えば、各携帯端末２０の所在場所やコンテンツ情報の授受に係るプレゼンス情報を管理するプレゼンスサーバ（図示せず）を指定しておけば、ＮＦＣタグ１０との通信に係るタグＩＤ、コンテンツＩＤ（コンテンツ情報を識別するＩＤ）、ライタＩＤがプレゼンスサーバに通知され、携帯端末２０を所持する者の所在場所やコンテンツ情報の書き込み状況を把握することができる。
【００４７】
Ｓ３６０において、入力操作部２５よりコンテンツ情報の読み出し操作が為されると（Ｓ３６０，ＹＥＳ）、リーダ制御部４２は、リーダＩＤ記憶部４１に記憶しているリーダＩＤを、ＮＦＣ通信部２１を介して、ＮＦＣタグ１０へ送信する（Ｓ３６１）。そして、ＮＦＣタグ１０から受信したコンテンツ情報をコンテンツ情報記憶部２４に蓄積し（Ｓ３６２）、Ｓ３７０へ進む。Ｓ３６０でＮＯであれば、Ｓ３１０に戻る。
【００４８】
なお、図示していないが、Ｓ３６１でリーダＩＤをＮＦＣタグ１０へ送信しても、ＮＦＣタグ１０からコンテンツ情報を読み出せない（受信しない）場合、または対応コンテンツが無い旨の応答が返った場合は、このリーダＩＤによる読み出しが禁止されている、または対応コンテンツが無いことを意味し、端末制御部２２は、その旨を表示部２６に表示する。
【００４９】
Ｓ３７０において、ＮＦＣタグ１０との情報の授受に係る通知設定が為されていた場合（Ｓ３７０，ＹＥＳ）、当該コンテンツ情報を当該無線タグ１０から読み取った旨を通信相手５０（通知先）へ通知し（Ｓ３７１）、Ｓ３１０に戻る。通知設定が為されていなければ（Ｓ３５０，ＮＯ）、Ｓ３７１をスキップしてＳ３１０に戻る。
【００５０】
ここで、通知先の通信相手５０として、例えば、各携帯端末２０の所在場所やコンテンツ情報の授受に係るプレゼンス情報を管理するプレゼンスサーバを指定しておけば、ＮＦＣタグ１０との通信に係るタグＩＤ、コンテンツＩＤ、リーダＩＤがプレゼンスサーバに通知され、携帯端末２０を所持する者の所在場所やコンテンツ情報の読み出し状況を把握することができる。
【００５１】
以上、本発明の実施形態の一例を説明した。本発明によれば、１対１または１対多または多対多の情報流通システムを、柔軟かつ効率的に構築できるＮＦＣタグまたはＮＦＣタグライタまたはＮＦＣタグリーダを提供できる。本発明によるＮＦＣタグを、多くの人が通る門や通路の多くに設置しておけば、ＮＦＣタグを介して、伝言情報や周知情報を流通させることができる。
【００５２】
例えば、情報告知者がポスター等（例えば、環境月間の社内告知）に装着されたＮＦＣタグに、ＮＦＣタグライタ機能を有する携帯端末で詳細情報（コンテンツ情報）を書込んでおけば、概要をポスターで見て、興味ある者のみ、ＮＦＣタグリーダ機能を有する携帯端末に詳細情報をダウンロードすれば効率的である。その際、リーダＩＤを指定しておけば、ＣＵＧ（Ｃｌｏｓｅｄ  Ｕｓｅｒ  Ｇｒｏｕｐ）内に限定した情報流通にできる。また、ＮＦＣタグに予めライタＩＤを指定しておけば、不正使用や悪意情報の書き込みを防止できる。
【符号の説明】
【００５３】
１０・・・ＮＦＣタグ
１１・・・ＮＦＣ通信部
１２・・・ＩＤ受信部
１３・・・コンテンツ情報送信部
１４・・・コンテンツ情報受信部
１５・・・ＩＤ／コンテンツ情報蓄積部
１６・・・タグ制御部
１７・・・タグＩＤ記憶部
１８・・・受電部
２０・・・携帯端末
２１・・・ＮＦＣ通信部
２２・・・端末制御部
２３・・・ＮＷ通信部
２４・・・コンテンツ情報記憶部
２５・・・入力操作部
２６・・・表示部
２７・・・給電部
３０・・・ＮＦＣタグライタ
３１・・・ライタＩＤ記憶部
３２・・・ライタ制御部
３３・・・コンテンツ情報送信部
４０・・・ＮＦＣタグリーダ
４１・・・リーダＩＤ記憶部
４２・・・リーダ制御部
４３・・・コンテンツ情報受信部
５０・・・通信相手
【図１】
2014038381.tif 000003
【図２】
2014038381.tif 000004
【図３】
2014038381.tif 000005